(57)【特許請求の範囲】
【請求項１】
シーミングヘッドハウジングの底部内周面と該底部内周面と対向する回転部外周面との間に形成される嵌合隙間への潤滑オイル漏れを事前に監視できる缶巻締機における潤滑オイル漏れ監視装置であって、前記シーミングヘッドハウジングの底部に設けられたオイル溜の内側円筒壁の上部に、リップ片頂端が回転部の環状凹部天面に接するようにオイルシールを設け、且つ該オイルシールと前記嵌合隙間との間に環状段差面を形成し、該環状段差面の内側に内側環状側壁を形成し、該環状段差面とその内側環状側壁及びオイルシールのリップ片とで環状溝を構成するようにし、該環状溝の前記環状段差面に１又は複数個の通孔を穿設してオイル漏れ確認経路を形成したことを特徴とする缶巻締機における潤滑オイル漏れ監視装置。
【請求項２】
前記オイル漏れ確認経路の出口を、シーミングヘッドハウジングの下方に位置するシーミングロールよりも外側上方に位置するように、シーミングヘッドハウジング底面に設けてなる請求項１に記載の缶巻締機における潤滑オイル漏れ監視装置。
【発明の詳細な説明】
【０００１】
【発明の属する技術分野】
本発明は、缶巻締機における潤滑オイル漏れを早期発見できる潤滑オイル漏れ監視装置に関する。
【０００２】
【従来の技術】
近年、缶巻締機のシーミングヘッドの回転作動部の潤滑には潤滑オイルを使用するようになり、図３に示すように、シーミングカムフォロワ７や歯車８、ベアリング９等の回転個所に供給された潤滑オイルが外部に流出しないように、回転部５の上部をシーミングヘッドハウジング６で囲って、該シーミングヘッドハウジングの底部で潤滑済みオイルを受け溜め、それをオイルタンクに回収して再循環使用している。固定部であるシーミングヘッドハウジング６の底部と回転部（ハッチングしてある部分）との間には、回転部の回転を可能にするために必然的に嵌合隙間が存在しなければならず、該嵌合隙間から潤滑オイルが漏れないようにシーミングヘッドハウジング６の底壁と回転部との間に、Ｖ字型のゴム等で形成されたオイルシール１０を設けてある。しかしながら、回転部と固定部の間を完全にシールするのは至難であり、長時間運転を続けている間に、嵌合隙間が流出経路となって潤滑オイルが漏れ出してしまう問題点があった。なお、図３は、従来の缶巻締機のシーミングヘッドを示し、１はセンターシャフト、２はシーミングチャックである。
【０００３】
この問題を解決する手段として、嵌合隙間の下部をシーミングハウジング６内を水平にのびる通孔を介して集合ドレンに連通するようにして、嵌合隙間に流出した潤滑オイルを回収するようにすることが提案されている（特開平１０−１３２０９１号公報）。しかしながら、前記通孔は、付着・汚染を引き起こす流出経路の最終部位近くに位置しているため、流出した潤滑オイルが回収されてオイル漏れが検出された時点には既に嵌合隙間の下端にも潤滑オイルが達し、あるいは短時間の内に製品への付着・汚染を引き起こす状況にあり、不良製品の発生を未然に完全に防ぐことができなかった。
【０００４】
【発明が解決しようとする課題】
嵌合隙間下端から油漏れが生じると、流出した潤滑オイルが缶詰に付着・汚染してしまうので、早期にオイル漏れを検知する必要があり、それが遅れると大量の不良製品を発生させてしまい、損害を蒙ることになる。しかしながら、上記のように缶巻締機における潤滑オイル漏れを早期に検出できる方法は未だ知られてておらず、不良製品の発生を未然に完全に防ぐことができない問題点があった。
【０００５】
従って、本発明が解決しようとする課題は、缶巻締装置におけるオイルシールを通過して漏れた潤滑オイルが、製品に付着・汚染する前段階で検出でき、潤滑オイル漏れによる不良製品の発生を未然に完全に防ぐことができる缶巻締機における潤滑オイル漏れ監視装置を提供することにある。
【０００６】
【課題を解決するための手段】
上記問題点を解決する本発明の缶巻締機における潤滑オイル漏れ監視装置は、シーミングヘッドハウジングの底部内周面と該底部内周面と対向する回転部外周面との間に形成される嵌合隙間への潤滑オイル漏れを事前に監視できる缶巻締機における潤滑オイル漏れ監視装置であって、前記シーミングヘッドハウジングの底部に設けられたオイル溜の内側円筒壁の上部に、リップ片頂端が回転部の環状凹部天面に接するようにオイルシールを設け、且つ該オイルシールと前記嵌合隙間との間に環状段差面を形成し、該環状段差面の内側に内側環状側壁を形成し、該環状段差面とその内側環状側壁及びオイルシールのリップ片とで環状溝を構成するようにし、該環状溝の前記環状段差面に１又は複数個の通孔を穿設してオイル漏れ確認経路を形成したことを特徴とするものである。前記オイル漏れ確認経路の出口は、シーミングヘッドハウジングの下方に位置するシーミングロールよりも外側上方に位置するように、シーミングヘッドハウジング底面に設けるのが望ましい。
【０００７】
【発明の実施の形態】
以下、本発明の実施形態を詳細に説明する。
図１は、本発明の実施形態に係る缶巻締機における潤滑オイル漏れ監視装置の要部断面概略を示し、図２はその斜視図であり、図３に示すような缶巻締機のシーミングヘッドに適用する。
図中、１１は回転部であり、センターシャフトに固定されて回転する。１２は回転部上方を囲って配置された固定部であるシーミングヘッドハウジングであり、その底部の回転部１１に面する内側環状端縁が僅かに上方に立ち上がって内側円筒壁１５となっており、シーミングヘッドハウジングの外周壁１６と底壁１７とでシーミングヘッドハウジングの底部に潤滑オイルが溜るオイル溜１８を形成し、該オイル溜に溜ったオイルを回収してオイルタンクに戻し循環使用できるようになっている。オイル溜１８の内側円筒壁１５は、回転部１１の底部に形成された環状凹部１９内に入り込むように形成され、その内周面と回転部１１の外周面が僅かな嵌合隙間２０を経て面し、該嵌合隙間の下方部は屈曲させて回転部１１との間でラビリンスシールを形成している。そして、内側円筒壁１５の上部に、リップ片２１の頂端が回転部１１の環状凹部天面２３に接するようにＶ型のオイルシール２２を設け、前記嵌合隙間２０への潤滑オイルの流出を防止している。
【０００８】
以上は、従来のものと同様な構成であるが、本実施形態ではオイルシール２２からのオイルの流出を早期に発見する手段として次のような手段を設けてある。内側円筒壁１５の上部に配置されたオイルシール２２と嵌合隙間２０との間に環状段差面２５（図２に明示されている）を形成し、該環状段差面２５、その内側環状側壁２６及びオイルシール２２のリップ片２１とで環状溝２７を構成するようにし、オイルシールのリップ片頂端と回転部の環状凹部天面２３との間を通過した潤滑オイルが環状溝２７に溜るようにする。そして、該環状溝２７にオイル漏れを確認する１又は複数個の通孔を穿設してオイル漏れ確認経路２８を形成してある。
【０００９】
オイル漏れ確認経路２８は、図示のように環状溝２７に溜る潤滑オイルが固定部の内側円筒壁１５内部を通って垂下し、その下部がシーミングヘッドハウジングの底壁１７内部を外方向に沿って水平に延び、その出口３０は該オイル漏れ確認経路より流出したオイルが下方を通過する缶詰にかからないような部位、例えばシーミングヘッドハウジングの下方に位置するシーミングロールよりも外側上方に位置するように設け、オイル漏れが生じても缶詰に付着することがなく、且つ容易に目視で確認できるようにする。
【００１０】
本実施形態の缶巻締機における潤滑オイル漏れ監視装置は、以上のように構成され、オイル溜１８に溜った潤滑オイルがオイルシール２２のリップ片頂部を通過して漏れか生じると、その潤滑オイルは環状溝２７に溜る。これが環状溝２７の内側環状側壁２６を超えると嵌合隙間２０に流れてしまうが、環状溝の底部（環状段差面）に通じるオイル漏れ確認経路２８を設けてあるので、内側環状側壁２６を超える前にオイル漏れ確認経路２８に流出する。オイル漏れ確認経路２８の出口は、その出口から垂れた潤滑オイルが製造中の缶詰に直接にかからない位置に設けてあるので、オイルシールから漏れ生じても、製品を汚染させることなく、事前に漏れを確認することができる。従って、缶巻締装置における流出した潤滑オイルが製品に付着・汚染する前段階で潤滑オイル漏れを検出できるばかりでなく、オイルシールを通過したオイルは、環状溝２７からオイル漏れ確認経路２８を通って外部に排出されるので、回転部と固定部の間の嵌合隙間２０に流出することがなくなる。
【００１１】
【発明の効果】
以上のように、本発明によれば、缶巻締装置におけるオイルシールを通過して漏れた潤滑オイルが、製品に付着・汚染する前段階で検出でき、潤滑オイル漏れによる不良製品の発生を未然に完全に防ぐことができる。しかも、オイルシールを通過した潤滑オイルは、環状溝からオイル漏れ確認経路を通って外部に排出されるので、回転部と固定部の間の嵌合隙間に流出することがなくなり、潤滑オイル漏れによる不良製品の発生を完全に防ぐことができる。
【図面の簡単な説明】
【図１】本発明の実施形態に係る缶巻締機における潤滑オイル漏れ監視装置の要部断面概略図である。を示し、図２はその斜視図であり、図３に示すような缶巻締機のシーミングヘッドに適用する。
【図２】図１に示す潤滑オイル漏れ監視装置の要部斜視図である。
【図３】従来の缶巻締装置のシーミングヘッドの断面概略図である。
【符号の説明】
１１  回転部
１２  シーミングヘッドハウジング（固定部）
１５  内側円筒壁
１６  外周壁
１７  底壁
１８  オイル溜
１９  環状凹部
２０  嵌合隙間（流出経路）
２１  リップ片
２２  オイルシール
２３  環状凹部天面
２５  環状段差面
２６  内側環状側壁
２７  環状溝
２８  オイル漏れ確認経路
３０  出口
【図１】
0004326726.tif 000002
【図２】
0004326726.tif 000003
【図３】
0004326726.tif 000004